(57)【要約】      （修正有）【課題】載置物に架け渡されるフック付バンドのフックが桁の内部に侵入することを抑制可能なパレットを提供する。【解決手段】パレット１０は、載置物８０が置かれるデッキボード１１と、デッキボード１１の反対側に位置する接地部１２と、デッキボード１１と接地部１２とを接続する桁１３Ａ、１３Ｂ、１３Ｃと、を有する。パレット１０には、フック付バンド９０が用いられて、デッキボード１１上で載置物８０が固定される。桁壁１４には、デッキボード１１に置かれた載置物８０に架け渡したフック付バンド９０のフック９２を取付け可能なフック取付部２０が設けられている。フック取付部２０は、桁壁１４に開口する貫通孔２１と、貫通孔２１よりもデッキボード１１側に設けられており桁壁１４から外側に突出している突起２７，２８と、を備えている。【選択図】図１
2019059501.tif 000002
【特許請求の範囲】
【請求項１】
載置物が置かれるデッキボードと、該デッキボードの反対側に位置する接地部と、前記デッキボードと前記接地部とを接続する桁と、を有し、両端にフックが取り付けられているバンドを前記デッキボードに置かれた載置物に架け渡すことによって、当該載置物を前記デッキボード上で固定することのできるパレットであり、前記パレットの側壁である桁壁に前記フックを取付け可能なフック取付部が設けられているパレットであって、
前記フック取付部は、前記桁壁に開口する貫通孔と、前記貫通孔よりも前記デッキボード側に設けられており前記桁壁から外側に突出している突起と、を備えるパレット。
【請求項２】
前記貫通孔を区画する縁は、前記フックが引っ掛けられる上縁部と、前記上縁部の両端から前記接地部側に延びる一対の側縁部と、前記上縁部よりも前記接地部側に位置し、且つ前記一対の側縁部に接続されている下縁部と、を有し、
前記下縁部は、前記桁壁の内面から前記桁壁の外面に向かうほど前記接地部側に位置するように傾斜している傾斜面を備える
請求項１に記載のパレット。
【請求項３】
前記フック取付部は、前記貫通孔よりも前記接地部側に位置し、前記桁壁から外側に突出している補強リブを備え、
前記補強リブは、前記下縁部の前記傾斜面に連続する面であって、且つ、前記桁壁から離間するほど前記接地部側に位置するように傾斜している面であるデッキ側リブ面を有する
請求項２に記載のパレット。
【請求項４】
前記補強リブは、前記デッキ側リブ面よりも前記接地部側に位置する面であって、且つ、前記桁壁から離間するほど前記デッキボード側に位置するように傾斜している面である接地部側リブ面を有する
請求項３に記載のパレット。
【請求項５】
前記デッキボード上で載置物を固定する際に用いられる前記バンドの前記フックは、前記貫通孔を区画する縁に引っ掛けられる屈曲部と、前記屈曲部よりも前記バンド側に位置し、当該バンドの幅方向において前記屈曲部よりも太い幅広部と、を備え、
前記貫通孔を区画する縁は、前記フックが引っ掛けられる上縁部と、前記上縁部の両端から前記接地部側に延びる一対の側縁部と、前記上縁部よりも前記接地部側に位置し、且つ前記一対の側縁部に接続されている下縁部と、を有し、
前記フックの前記屈曲部が前記上縁部に引っ掛かっているときの前記フックの位置を規定位置とした場合、
前記フック取付部は、前記フックが前記規定位置よりも前記接地部側に位置するときに前記幅広部を支持可能な係合部を備える
請求項１〜４のいずれか一項に記載のパレット。
【発明の詳細な説明】
【技術分野】
【０００１】
本発明は、物品の運搬等に使用されるパレットに関する。
【背景技術】
【０００２】
パレットのデッキボードに置かれた載置物をデッキボード上で固定する際には、両端部にフックが取り付けられているバンドが用いられることがある。特許文献１に開示されているパレットの端桁には、フック用の孔部が形成されている。そして、孔部を区画する縁のうちデッキボード側の縁を「上縁」とした場合、孔部を介して一方のフックの先端を端桁の内部に挿入して上縁にフックを引っ掛けた状態でバンドを引っ張り、載置物をデッキボード側に押し付ける力を付与する。さらに、他方のフックを同様にパレットに引っ掛けることによって、載置物をデッキボード上に固定することができる。
【先行技術文献】
【特許文献】
【０００３】
【特許文献１】特開２００３‐２００４１号公報
【発明の概要】
【発明が解決しようとする課題】
【０００４】
載置物をデッキボード上に固定した状態を解消する際には、バンドを緩めて載置物をデッキボード側に押し付ける力を弱くする。すると、上縁にフックが引っ掛かっている状態が解消され、フックがデッキボードから離れる方向に移動する。このようにデッキボードから離れるようにフックが移動するときに、孔部を介して端桁内に挿入されていたフックの先端が端桁のより内部に侵入することがある。この場合、当該フックの先端を端桁内から抜き取りにくくなる虞がある。
【課題を解決するための手段】
【０００５】
上記課題を解決するためのパレットは、載置物が置かれるデッキボードと、該デッキボードの反対側に位置する接地部と、前記デッキボードと前記接地部とを接続する桁と、を有し、両端にフックが取り付けられているバンドを前記デッキボードに置かれた載置物に架け渡すことによって、当該載置物を前記デッキボード上で固定することのできるパレットであり、前記パレットの側壁である桁壁に前記フックを取付け可能なフック取付部が設けられているパレットであって、前記フック取付部は、前記桁壁に開口する貫通孔と、前記貫通孔よりも前記デッキボード側に設けられており前記桁壁から外側に突出している突起と、を備えることをその要旨とする。
【０００６】
上記構成によれば、桁壁に突起が設けられていることによって、貫通孔を区画する縁部にフックが引っ掛けられたとき、フックのうちバンドに近い側の部分が突起に当接することで、桁壁に対してフックが傾斜した状態になる。具体的には、フックのうちデッキボードに近い側の部分がデッキボードから離れている部分よりも桁壁から離れるように、フックが傾斜する。このため、バンドを緩めて載置物をデッキボード側に押し付ける力が弱くされ、縁部にフックが引っ掛かっている状態が解消されたときには、フックのうちデッキボードから離れている部分が桁壁から離れるように、フックを揺動させることができる。これによって、フックが引っ掛けられている状態が解消された場合に、フックが引っ掛けられているときに貫通孔を介してパレットの内部に挿入されていたフックの先端がより内部に侵入することを抑制できる。したがって、フックの先端をパレット内から抜き取りにくくなることを抑制できる。
【０００７】
上記パレットの一例では、前記貫通孔を区画する縁は、前記フックが引っ掛けられる上縁部と、前記上縁部の両端から前記接地部側に延びる一対の側縁部と、前記上縁部よりも前記接地部側に位置し、且つ前記一対の側縁部に接続されている下縁部と、を有し、前記下縁部は、前記桁壁の内面から前記桁壁の外面に向かうほど前記接地部側に位置するように傾斜している傾斜面を備える。
【０００８】
バンドを用いて載置物をデッキボード上で固定しているときには、フックが上縁部に引っ掛けられている。この状態でバンドを緩めて載置物をデッキボード側に押し付ける力が弱くされ、上縁部にフックが引っ掛かっている状態が解消されると、フックが接地部側に移動して下縁部に当接することがある。上記構成によれば、このようにフックが下縁部に当接すると、下縁部が備える傾斜面によって桁壁の外側に向かって滑るようにフックが誘導される。すなわち、傾斜面がフックを桁壁から離間させるように誘導するガイド面として機能する。これによって、フックが上縁部に引っ掛かっている状態が解消された際に、貫通孔を介してパレットの内部に挿入されていたフックの先端がより内部に侵入することを抑制できる。
【０００９】
上記パレットの一例では、前記フック取付部は、前記貫通孔よりも前記接地部側に位置し、前記桁壁から外側に突出している補強リブを備え、前記補強リブは、前記下縁部の前記傾斜面に連続する面であって、且つ、前記桁壁から離間するほど前記接地部側に位置するように傾斜している面であるデッキ側リブ面を有する。
【００１０】
上記構成によれば、下縁部の傾斜面に連続するデッキ側リブ面を有する補強リブを桁壁に設けることによって、フックが下縁部に当接した際に当該下縁部が変形することを抑制できる。
【００１１】
また、デッキ側リブ面が下縁部の傾斜面に連続しているため、フックを桁壁から離間させるためのガイド面を拡張させることができる。下縁部の傾斜面とデッキ側リブ面とからなるガイド面によって、桁壁から離間する方向にフックを誘導する効果をより向上させることができる。
【００１２】
上記パレットの一例では、前記補強リブは、前記デッキ側リブ面よりも前記接地部側に位置する面であって、且つ、前記桁壁から離間するほど前記デッキボード側に位置するように傾斜している面である接地部側リブ面を有する。
【００１３】
パレットから外れたフックが補強リブよりも接地部側に移動することがある。この状態のフックが再度デッキボード側に向かって引き上げられたとき、補強リブにフックが係止されることもある。このように補強リブにフックが係止されると、フックが桁の内部に侵入する場合と同様に、バンドを用いる作業がしづらくなる虞があった。
【００１４】
上記構成によれば、傾斜した接地部側リブ面が補強リブに設けられていることによって、フックが接地部側リブ面に接地部側から当接すると、桁壁から離間する方向にフックを誘導することができる。これによって、補強リブよりも接地部側からフックが引き上げられたとしても、補強リブにフックが係止されることを抑制できる。また、接地部側リブ面によってフックが桁壁から離間する方向に誘導されるため、桁壁に形成されている貫通孔からパレットの内部にフックの先端が侵入することを抑制できる。
【００１５】
パレットのデッキボード上で載置物を固定する際に用いられるバンドとして、バンドのフックが、前記貫通孔を区画する縁に引っ掛けられる屈曲部と、前記屈曲部よりも前記バンド側に位置し当該バンドの幅方向において前記屈曲部よりも太い幅広部と、を備えているバンドを用いることがある。この場合、上記パレットは、前記貫通孔を区画する縁が、前記フックが引っ掛けられる上縁部と、前記上縁部の両端から前記接地部側に延びる一対の側縁部と、前記上縁部よりも前記接地部側に位置し、且つ前記一対の側縁部に接続されている下縁部と、を有し、前記フックの前記屈曲部が前記上縁部に引っ掛かっているときの前記フックの位置を規定位置とした場合、前記フック取付部に、前記フックが前記規定位置よりも前記接地部側に位置するときに前記幅広部を支持可能な係合部を設けることもできる。
【発明の効果】
【００１６】
上記構成のパレットによれば、貫通孔を区画する縁部にフックが引っ掛かっている状態が解消されたときに、フックの先端が桁のより内部に侵入することを抑制することができる。
【図面の簡単な説明】
【００１７】
【図１】第１実施形態のパレット及び当該パレットに載置物を固定するために用いられるバンドを示す斜視図。
【図２】同パレットが備えるフック取付部を示す斜視図。
【図３】同パレットが備えるフック取付部を示す断面図。
【図４】同パレットの内部から視たフック取付部周辺を示す断面斜視図。
【図５】同パレットに用いられるフック付バンドを示す斜視図。
【図６】同パレットとフックとを示す断面図。
【図７】第２実施形態のパレットが備えるフック取付部を示す斜視図。
【図８】同パレットが備えるフック取付部を示す断面図。
【図９】第３実施形態のパレットが備えるフック取付部を示す斜視図。
【図１０】同パレットとフックとを示す斜視図。
【図１１】パレットの変形例を示す斜視図。
【発明を実施するための形態】
【００１８】
（第１実施形態）
以下、パレットの第１実施形態としてのパレット１０について、図１〜図６を参照して説明する。
【００１９】
図１には、パレット１０と、パレット１０に載置される載置物８０と、載置物８０を固定するために用いられるフック付バンド９０とを示している。フック付バンド９０は、バンド９１と、バンド９１の両端に取り付けられている一対のフック９２とを有している。
【００２０】
パレット１０は、載置物８０を置くことのできる矩形状のデッキボード１１と、デッキボード１１の反対側に位置し、且つ、地面又は他のパレットと接する接地部１２とを備えている。また、パレット１０は、デッキボード１１と接地部１２とを接続する複数（本例では三つ）の桁を備えている。各桁のうち、図中最も手前に位置する桁を端桁１３Ａとして、図中最も奥手に位置する桁を端桁１３Ｃとして、端桁１３Ａと端桁１３Ｃとの間に位置する桁を中間桁１３Ｂとする。
【００２１】
以下では、接地されているパレット１０の接地部１２側を「下方」と云うこともある。そして、パレット１０のデッキボード１１側のことを「上方」ということもある。また、パレット１０の中心から離間する方向を「外側」ということもある。
【００２２】
パレット１０の側壁でもある端桁１３Ａの桁壁１４には、フック付バンド９０のフック９２を取付可能なフック取付部２０が設けられている。パレット１０では、端桁１３Ａの桁壁１４に三つのフック取付部２０が設けられている。また、同様にパレット１０の側壁でもある端桁１３Ｃの桁壁１４にも、三つのフック取付部２０が設けられている。各フック取付部２０は、それぞれ同様の構成を有しているため、ここでは端桁１３Ａに設けられている一つのフック取付部２０について説明し、他のフック取付部２０についての説明を省略する。
【００２３】
図２に示すように、フック取付部２０は、桁壁１４に開口する貫通孔２１を備えている。貫通孔２１は、長方形に形成されている。ここで貫通孔２１の形状としての長方形とは、四方の角が直角の形状の他に四方の角を丸めた形状を含む。貫通孔２１は、デッキボード１１側に位置する上縁部２２と、接地部１２側に位置する下縁部２３とを備えている。上縁部２２と下縁部２３は、一対の側縁部２５，２６によって連結されている。側縁部２５は、図２において貫通孔２１の左側に位置する。側縁部２６は、図２において貫通孔２１の右側に位置する。
【００２４】
フック取付部２０は、側縁部２５を挟んで貫通孔２１と反対側に、桁壁１４から外側に突出するとともに、パレット１０の上下方向に延びている保護部２９を備えている。同様に、側縁部２６を挟んで貫通孔２１と反対側に、桁壁１４から外側に突出するとともに、パレット１０の上下方向に延びている保護部３０が設けられている。すなわち、貫通孔２１は、保護部２９と保護部３０との間に位置している。
【００２５】
フック取付部２０は、貫通孔２１よりもデッキボード１１側に配置されている一対の突起２７，２８を備えている。突起２７、２８は、桁壁１４から外側に突出している。突起２７，２８は、保護部２９と保護部３０との間に配置されている。突起２７は、保護部２９に接続されている。突起２８は、保護部３０に接続されている。突起２７と突起２８との間隔は、バンド９１の幅よりも大きい。
【００２６】
桁壁１４を基点として桁壁１４から離れる方向の寸法を厚みとした場合、図３に示すように、突起２７の厚みは、保護部２９，３０の厚みよりも薄い。また、突起２７の厚みは、貫通孔２１から遠ざかるほど、すなわち貫通孔２１よりもデッキボード１１側ほど厚くなっている。このため、突起２７の突出方向外側の端面は、デッキボード１１側から接地部１２側に向かうほど桁壁１４に近づいている。なお、突起２８は、突起２７と同様の形状に成形されている。
【００２７】
図３に示すように、下縁部２３は、桁壁１４の内面から桁壁１４の外面に向かうほど接地部１２側に位置するように傾斜している傾斜面２４を備えている。
図３及び図４に示すように、桁壁１４の内面のうち、貫通孔２１とデッキボード１１との間には、パレット１０の中心側に突出する内面補強リブ１５が設けられている。内面補強リブ１５は、上下方向に延びている。パレット１０では、複数（本例では三つ）の内面補強リブ１５が並設されている。
【００２８】
なお、図３に示すように、上縁部２２の上下方向に沿った断面は、Ｒ形状をなしている。同様に上下方向に沿った、内面補強リブ１５の貫通孔２１側の端部の断面もＲ形状をなしている。
【００２９】
図５に示すように、フック付バンド９０のフック９２は、先端９３Ａをフック取付部２０の貫通孔２１に挿入可能な屈曲部９３と、屈曲部９３よりもバンド９１側に位置する幅広部９５とを備えている。フック９２は、板材を材料として成形されている。幅広部９５におけるバンド９１の幅方向に対する長さは、バンド９１よりも長い。幅広部９５には、バンド９１が挿通される挿通孔９４が形成されている。また、幅広部９５におけるバンド９１の幅方向に対する長さは、屈曲部９３よりも長い。すなわち、フック９２は、屈曲部９３よりもバンド９１の幅方向両側に幅広部９５が突出するように形成されている。
【００３０】
次に、第１実施形態のパレット１０の作用とともに、その効果について説明する。
図６（ａ）には、フック付バンド９０のバンド９１に取り付けられているフック９２の屈曲部９３が、上縁部２２に引っ掛かっている状態を示している。この状態では、屈曲部９３の先端９３Ａが貫通孔２１を介して端桁１３Ａ内に挿入されている。図６（ｂ）には、フック９２の屈曲部９３が上縁部２２に引っ掛かっている状態が解消され、屈曲部９３が接地部１２側に移動した状態を示している。
【００３１】
フック９２の屈曲部９３が上縁部２２に引っ掛けられているとき、図６（ａ）に示すようにフック９２の幅広部９５がフック取付部２０の突起２７に当接する。フック９２は、同様に突起２８にも当接する。このようにフック９２が突起２７，２８に当接することで桁壁１４に対してフック９２が傾斜した状態になる。より詳しくは、フック９２のうちデッキボード１１に近い側の部分がデッキボード１１から離れている部分よりも桁壁１４から離れるように、フック９２が傾斜する。
【００３２】
この状態からバンド９１を緩めて載置物８０をデッキボード１１側に押し付ける力が弱くされると、上縁部２２にフック９２が引っ掛かっている状態が解消される。すると、突起２７，２８に当接することで傾斜した状態だったフック９２は、図６（ｂ）に示すように、フック９２の屈曲部９３が桁壁１４から離れるように揺動する。これによって、図６（ａ）に示す状態とは反対側にフック９２が傾斜する。
【００３３】
その結果、フック９２が上縁部２２に引っ掛かっている状態が解消された場合に、フック９２が引っ掛けられているときに貫通孔２１を介してパレット１０の内部に挿入されていた屈曲部９３の先端９３Ａが、より内部に侵入することを抑制できる。したがって、屈曲部９３の先端９３Ａをパレット１０内から抜き取りにくくなることを抑制できる。
【００３４】
図６（ｂ）に示すように、フック９２が上縁部２２に引っ掛かっている状態が解消されると、フック９２が接地部１２側に移動し、フック９２の屈曲部９３が下縁部２３に当接することがある。パレット１０では、下縁部２３が傾斜面２４を備えている。フック９２の屈曲部９３が下縁部２３に当接すると、傾斜面２４の傾斜角に沿うように、桁壁１４の外側に向かってフック９２が誘導される。すなわち、傾斜面２４を、フック９２を桁壁１４から離間させるように誘導するガイド面として機能させることができる。これによって、貫通孔２１を介してパレット１０の内部に挿入されていた屈曲部９３の先端９３Ａを、パレット１０の内部から離脱させやすくなる。
【００３５】
また、パレット１０は、桁壁１４の内面に内面補強リブ１５を備えている。これによって、上縁部２２の剛性を向上させることができる。
さらに、パレット１０では、フック取付部２０において貫通孔２１が、一対の保護部２９，３０の間に形成されている。フック９２の屈曲部９３の先端９３Ａを貫通孔２１を介してパレット１０の内部に挿入する際に、保護部２９，３０がフック９２を貫通孔２１に案内する機能を奏する。また、保護部２９，３０によって、フック取付部２０に取り付けられているフック９２に対してパレット１０の側方から別の部材が接触することも抑制できる。例えば、パレット１０の隣に置かれた別のパレットとフック取付部２０に取り付けられているフック９２とが接触することを抑制できる。
【００３６】
（第２実施形態）
第２実施形態としてのパレット１１０について説明する。パレット１１０は、フック取付部が補強リブ３１を備えている点で、第１実施形態におけるパレット１０と異なる。第１実施形態と共通の構成については、それぞれ同一の符号を付し、その説明を適宜省略する。
【００３７】
図７及び図８に示すように、フック取付部１２０に設けられている補強リブ３１は、桁壁１４から外側に突出している。補強リブ３１は、貫通孔２１よりも接地部１２側に位置している。また、補強リブ３１は、保護部２９と保護部３０とを接続するように保護部２９，３０間に延設されている。補強リブ３１は、デッキボード１１側の面であるデッキ側リブ面３２を備えており、デッキ側リブ面３２が下縁部２３の傾斜面２４と連続している。デッキ側リブ面３２は、桁壁１４から離間するほど接地部１２側に位置するように傾斜している。補強リブ３１は、デッキ側リブ面３２が傾斜面２４と同一平面上に位置するように成形されている。
【００３８】
図８に示すように、補強リブ３１は、デッキ側リブ面３２よりも接地部１２側に位置する面である接地部側リブ面３３を備えている。接地部側リブ面３３は、桁壁１４から離間するほどデッキボード１１側に位置するように傾斜している。したがって、補強リブ３１は、桁壁１４から離間するほどデッキ側リブ面３２と接地部側リブ面３３との間の距離が短くなっている。
【００３９】
次に、第２実施形態のパレット１１０の作用とともに、その効果について説明する。
パレット１１０では、傾斜面２４と連続するデッキ側リブ面３２によって、ガイド面が拡張されている。これによって、フック９２が下縁部２３に当接したときに桁壁１４の外側に向かってフック９２をより誘導しやすくなる。すなわち、第１実施形態が奏する効果に加えて、フックが外れて傾斜面２４に衝突したときに、貫通孔２１を介してパレット１０の内部に挿入されていた屈曲部９３の先端９３Ａを、パレット１０の内部から離脱させやすくする効果を向上させることができる。
【００４０】
また、補強リブ３１を設けていることによって下縁部２３の剛性が向上し、フック９２が下縁部２３に当接した際に下縁部２３が変形することを抑制できる。
ところで、パレット１１０から外れたフック９２が補強リブ３１よりも接地部１２側に移動することがある。この状態のフック９２が再度デッキボード１１側に向かって引き上げられているとき、フック９２の屈曲部９３の先端９３Ａが補強リブ３１に係止されることもある。このように先端９３Ａが補強リブ３１に係止されると、フック９２を引き上げにくくなる。この点、パレット１１０では、傾斜した接地部側リブ面３３が補強リブ３１に設けられている。このため、補強リブ３１よりも接地部１２側からデッキボード１１側にフック９２が引き上げられるときに、その屈曲部９３の先端９３Ａが補強リブ３１の接地部側リブ面３３に接触することとなる。接地部側リブ面３３は、桁壁１４から離間するほどデッキボード１１側に位置するように傾斜しているため、先端９３Ａが接地部側リブ面３３に沿ってデッキボード１１側に移動する態様でフック９２の引き上げが継続される。すなわち、補強リブ３１にフック９２が係止されることを抑制できる。
【００４１】
また、引き上げ途中のフック９２の屈曲部９３の先端９３Ａが貫通孔２１近傍を通過する場合、接地部側リブ面３３の傾斜形状によって、先端９３Ａが桁壁１４から離れた位置を移動することとなる。そのため、引き上げ途中のフック９２の屈曲部９３の先端９３Ａが貫通孔２１からパレット１１０の内部に侵入することを抑制できる。
【００４２】
（第３実施形態）
第３実施形態としてのパレット２１０について説明する。パレット２１０は、フック取付部に一対の第１係合部３４，３５及び一対の第２係合部３６，３７が形成されている点で、第２実施形態と異なる。上記第１実施形態又は第２実施形態と共通の構成については、それぞれ同一の符号を付し、その説明を適宜省略する。
【００４３】
図９に示すように、フック取付部２２０に設けられている一対の第１係合部３４，３５は、上縁部２２よりもデッキボード１１側であり突起２７，２８よりも接地部１２側に配置されており、桁壁１４から外側に突出している。第１係合部３４は、保護部２９と接続されている。第１係合部３５は、保護部３０と接続されている。一対の第１係合部３４，３５の間隔は、バンド９１の幅方向に対するフック９２の屈曲部９３の長さよりも大きい。
【００４４】
フック取付部２２０に設けられている第２係合部３６は、側縁部２５と上縁部２２との接続部分から、桁壁１４の外側に突出している。同様に第２係合部３７は、側縁部２６と上縁部２２との接続部分から、桁壁１４の外側に突出している。一対の第２係合部３６，３７の間隔は、バンド９１の幅方向に対するフック９２の屈曲部９３の長さよりも大きい。
【００４５】
桁壁１４を基点として桁壁１４から離れる方向の寸法を厚みとした場合、第１係合部３４，３５の厚みは、保護部２９，３０の厚みよりも薄い。また、第２係合部３６，３７の厚みは、保護部２９，３０の厚みと同等である。すなわち、第２係合部３６，３７の厚みは、第１係合部３４，３５の厚みよりも厚い。なお、第１係合部３４，３５の厚みは、突起２７，２８のうち、最も厚い部分における厚みよりも厚い。
【００４６】
ここで、フック９２の屈曲部９３が上縁部２２に引っ掛けられているときのフック９２の位置を規定位置とする。パレット２１０では、第１係合部３４，３５及び第２係合部３６，３７によって、フック９２が規定位置よりも接地部１２側であって、且つフック９２が下縁部２３の傾斜面２４に当接していないときに、フック９２の幅広部９５を支持することのできる係合部が構成されている。
【００４７】
次に、第３実施形態のパレット２１０の作用とともに、その効果について説明する。
図１０（ａ）には、フック９２が規定位置にある状態を示している。図１０（ｂ）には、フック９２が規定位置よりも接地部１２側に移動した状態を示している。図１０（ｃ）には、図１０（ｂ）に示した位置よりもさらに接地部１２側にフック９２が移動した状態を示している。
【００４８】
図１０（ａ）に示すようにフック９２が上縁部２２に引っ掛かっている状態では、第１係合部３４，３５及び第２係合部３６，３７とフック９２とは、離間している。この状態から、バンド９１を緩めて、フック９２が上縁部２２から離れると、フック９２が接地部１２側に移動する。パレット２１０では、フック取付部２２０に設けられている一対の第１係合部３４，３５によって、図１０（ｂ）に示すように、上縁部２２側から移動したフック９２の幅広部９５を支持することができる。これによって、フック９２が上縁部２２から外れても、フック取付部２２０にフック９２が取り付けられている状態を保持することができる。
【００４９】
また、フック９２が上縁部２２から離れ、フック９２が第１係合部３４，３５よりも接地部１２側に移動した場合でも、パレット２１０によれば、第２係合部３６，３７によってフック９２の幅広部９５を支持することができる。これによっても、図１０（ｃ）に示すようにフック取付部２２０にフック９２が取り付けられている状態を保持することができる。
【００５０】
このように、パレット２１０では、フック９２がフック取付部２２０から離間しにくくなっている。したがって、上縁部２２にフック９２が引っ掛かっている状態が解消された場合であってもフック９２が自由に移動可能な状態になることを抑制できる。
【００５１】
ところで、載置物８０をデッキボード１１上に固定するべくバンド９１を引っ張る力を強くしている際に、フック取付部２２０からフック９２が外れると、載置物８０をデッキボード１１側に押し付ける力を付与することができなくなる。この点、パレット２１０によれば、第１係合部３４，３５又は第２係合部３６，３７によってフック９２の幅広部９５を支持することで、上縁部２２にフック９２の屈曲部９３が引っ掛けられていない状態であっても、フック取付部２２０にフック９２を仮止めすることができる。そのため、載置物８０をデッキボード１１上に固定するべくバンド９１を引っ張る力を強くしている際に、フック取付部２２０からフック９２が外れることを抑制できる。すなわち、バンド９１を用いて載置物８０をデッキボード１１側に押し付ける力を強くする作業を行いやすくなる。
【００５２】
なお、上記各実施形態は、これを適宜変更した以下の形態にて実施することもできる。
・上記各実施形態のパレットに用いられるフック付バンド９０のフック９２は、上述した形状に限られるものではない。例えば、上述したフック９２は板材を材料としているが、線材を材料として成形されたフックを用いることもできる。
【００５３】
・第３実施形態では、第１係合部３４，３５及び第２係合部３６，３７をフック取付部２２０に設けたが、第１係合部３４，３５と第２係合部３６，３７のどちらか一対のみを設けることもできる。
【００５４】
・第２実施形態において、補強リブ３１が備えるデッキ側リブ面３２の傾斜角度は適宜変更可能である。
・第２実施形態において、補強リブ３１の接地部側リブ面３３が傾斜していなくてもよい。すなわち、接地部側リブ面３３が、デッキボード１１に対して水平に形成されていてもよい。この場合であっても、デッキ側リブ面３２によってガイド面が拡張されることで、貫通孔２１を介してフック９２の屈曲部９３の先端９３Ａが桁のより内部に侵入することを抑制する効果を得ることができる。
【００５５】
・第２実施形態において、ガイド面を構成するデッキ側リブ面３２と傾斜面２４とが同一平面上になくてもよい。すなわち、デッキ側リブ面３２の傾斜角と傾斜面２４の傾斜角とが異なっていてもよい。
【００５６】
・上記各実施形態において、保護部２９，３０は、それぞれ突起２７，２８と接続されていたが、保護部２９（３０）と突起２７（２８）とが所定の間隔を置いて配置され、間隙が形成されていてもよい。同様に、保護部２９，３０と補強リブ３１との間に間隙が形成されていてもよい。また、保護部２９，３０と第１係合部３４，３５との間に間隙が形成されていてもよい。また、保護部２９，３０と第２係合部３６，３７との間に間隙が形成されていてもよい。
【００５７】
・上記各実施形態においてフック取付部が備える保護部２９，３０は必須の構成ではない。
・上記各実施形態では、保護部２９，３０の間に貫通孔２１を配置していたが、保護部２９，３０に替えて、図１１に示すような桁壁１４に形成された凹部１６の側面１７を用いることもできる。すなわち、桁壁１４にパレット内側へ窪んだ凹部１６を形成し、凹部１６の底面に貫通孔２１を形成するようにしてもよい。凹部１６の側面１７によって、保護部２９，３０と同様にフック９２を貫通孔２１に案内する効果と、フック取付部に取り付けられているフック９２を保護する効果を奏することができる。
【００５８】
・上記各実施形態では、突起２７，２８の厚みを、デッキボード１１側ほど厚くしていた。しかし、これに限らず、例えば上下方向によらず厚みが一定となる突起を採用してもよい。この場合であっても、貫通孔２１よりもデッキボード１１側に形成されている突起にフック９２を当接させることで、フック９２が傾斜した状態でフック９２の屈曲部９３を上縁部２２に引っ掛けることができる。
【００５９】
・上記各実施形態では、間隔を置いて一対の突起２７，２８を配置していた。一対の突起２７，２８に替えて、突起２７と突起２８との間隔を埋めたような一つの突起を設けることもできる。当該突起は、保護部２９，３０と接続されていてもよいし、保護部２９と保護部３０との間の間隔よりも短く成形されていてもよい。
【００６０】
・上記各実施形態において、フック９２の屈曲部９３が上縁部２２に引っ掛けられている状態では、突起２７，２８にフック９２の幅広部９５が当接する。フック９２の幅広部９５に限らず、フック９２の桁壁１４側の面が突起２７、２８に当接することで、突起２７，２８によってフック９２を傾斜させる効果を奏することができる。
【００６１】
・上記各実施形態では、下縁部２３が傾斜面２４を備えているが、下縁部２３の貫通孔２１側の面がデッキボード１１に対して水平に形成されていてもよい。
・貫通孔２１の形状は、図示した形状に限られるものではない。例えば、貫通孔２１は、四方の辺の長さが等しい正方形でもよい。
【００６２】
・貫通孔２１として長方形や正方形以外の形状を採用することもできる。例えば、上記各実施形態では上縁部２２が直線状であるが、上縁部は、上（デッキボード１１側）に凸の放物線を描くような弓形でもよい。また、下縁部が下（接地部１２側）に凸の放物線を描くような弓形でもよい。下縁部が弓形の場合でも、上記各実施形態における傾斜面２４と同様にフック９２を誘導するガイド面を形成することができる。
【００６３】
また、貫通孔が円形をなしていてもよい。この場合、円形の貫通孔を区画する縁のうち当該貫通孔の中心よりも接地部１２側の部分について、上記各実施形態における下縁部２３が備える傾斜面２４と同様に、桁壁１４の内面から桁壁１４の外面に向かうほど接地部１２側に位置するように傾斜する面を形成するとよい。これによって、貫通孔が円形の場合でも、円形の貫通孔を区画する縁のうち当該貫通孔の中心よりもデッキボード１１側の部分にフック９２が引っ掛かっている状態が解消された際、フック９２を桁壁１４から離間させるように誘導する効果を奏することができる。
【００６４】
なお、「弓形」や「円形」の曲率は、フック付バンドのフックの形状に応じて設定することが好ましい。
【符号の説明】
【００６５】
１０…パレット、１１…デッキボード、１２…接地部、１３Ａ，Ｃ…端桁、１４…桁壁、１５…内面補強リブ、２０…フック取付部、２１…貫通孔、２２…上縁部、２３…下縁部、２４…傾斜面、２５，２６…側縁部、２７，２８…突起、２９，３０…保護部、３１…補強リブ、３２…デッキ側リブ面、３３…接地部側リブ面、３４，３５…第１係合部、３６，３７…第２係合部、８０…載置物、９０…フック付バンド、９１…バンド、９２…フック、９３…屈曲部、９４…挿通孔、９５…幅広部、１１０…パレット、１２０…フック取付部、２１０…パレット、２２０…フック取付部、１６…凹部、１７…側面。
【図１】
2019059501.tif 000003
【図２】
2019059501.tif 000004
【図３】
2019059501.tif 000005
【図４】
2019059501.tif 000006
【図５】
2019059501.tif 000007
【図６】
2019059501.tif 000008
【図７】
2019059501.tif 000009
【図８】
2019059501.tif 000010
【図９】
2019059501.tif 000011
【図１０】
2019059501.tif 000012
【図１１】
2019059501.tif 000013